(57)【要約】  本発明の目的は、検出器リング１２が幅広となっても、確実に較正データが収集できる放射線断層撮影装置における較正データの収集方法を提供することにある。この課題を達成するために、本発明に係る放射線断層撮影装置における較正データの収集方法においては、消滅γ線対を照射するファントム４１を検出器リング１２の有する内穴を通過するように移動させながら、同時イベント数を取得する構成となっている。この様に構成することで、ファントム４１の幅を検出器リング１２の幅以上とする必要がなく、確実に較正データが収集できる。また、検出器リング１２には、その位置によらず一様な特性で以って消滅γ線対が照射されたと見なせ、より偽像除去に適した較正データを取得することができる。
2010084528.tif 000002
【特許請求の範囲】
【請求項１】
放射線を検出する放射線検出素子が環状に配列された単位検出リングと、２つの異なる放射線検出素子が同時に放射線を検出した回数である同時イベント数を計数する同時計数手段と、前記同時イベント数を基に較正データを生成する較正データ生成手段とを備え、複数の単位検出リングがそれらの中心軸を共有するようにして積層されることにより構成された検出器リングを備えた放射線断層撮影装置における較正データの収集方法において、
消滅放射線対を照射するファントムを前記検出器リングの有する内穴の内部で移動させながら、前記同時イベント数が取得されることを特徴とする放射線断層撮影装置における較正データの収集方法。
【請求項２】
請求項１に記載の放射線断層撮影装置における較正データの収集方法において、
前記ファントムの移動は、前記ファントムを移動させるファントム移動手段と、前記ファントム移動手段を制御するファントム制御手段とによって実現されることを特徴とする放射線断層撮影装置における較正データの収集方法。
【請求項３】
請求項１または請求項２に記載の放射線断層撮影装置における較正データの収集方法において、
前記検出器リングの伸びる方向を延伸方向としたとき、
前記ファントムが前記検出器リングに対して移動する方向は、前記延伸方向に沿っており、
前記延伸方向における前記ファントムの長さは、前記延伸方向における前記検出器リングの長さよりも短いことを特徴とする放射線断層撮影装置における較正データの収集方法。
【請求項４】
請求項１ないし請求項３のいずれかに記載の放射線断層撮影装置における較正データの収集方法において、
前記ファントムは、前記検出器リングに対して往復移動することを特徴とする放射線断層撮影装置における較正データの収集方法。
【請求項５】
請求項１ないし請求項４のいずれかに記載の放射線断層撮影装置における較正データの収集方法において、
前記ファントムの速度は、移動の開始時に最も速く、前記ファントムが移動するにつれ、次第に遅くなることを特徴とする放射線断層撮影装置における較正データの収集方法。
【請求項６】
請求項１ないし請求項５のいずれかに記載の放射線断層撮影装置における較正データの収集方法において、
前記同時計数手段は、前記延伸方向における２つの放射線検出素子間の距離が所定の長さ以下となっているときのみ同時イベント数を計数し、
前記ファントムの前記延伸方向における長さは、前記所定の長さよりも長いことを特徴とする放射線断層撮影装置における較正データの収集方法。
【発明の詳細な説明】
【技術分野】
【０００１】
この発明は、放射線をイメージングする放射線断層撮影装置における較正データの収集方法に関し、特に、ブロック状の放射線検出器をリング状に配列した放射線断層撮影装置における較正データの収集方法に関する。
【背景技術】
【０００２】
医療分野において、被検体に投与されて関心部位に局在した放射性薬剤から放出された消滅放射線対（例えばγ線）を検出し、被検体の関心部位における放射性薬剤分布の断層画像を得る放射線断層撮影装置(ECT:Emission Computed Tomography)に使用されている。ＥＣＴには、主なものとして、ＰＥＴ(Positoron Emission Tomography)装置、ＳＰＥＣＴ(Single Photon Emission Computed Tomography)装置などが挙げられる。【０００３】
ＰＥＴ装置を例にとって説明する。ＰＥＴ装置は、ブロック状の放射線検出器をリング状に配列した検出器リングを有する。この検出器リングは、被検体を包囲するために設けられているものであり、被検体を透過してきた放射線を検出できる構成となっている。【０００４】
このようなＰＥＴ装置の検出器リングに配備される放射線検出器には、分解効率を高めるため、放射線検出器に設けられたシンチレータの深さ方向の位置弁別が可能な構成となっているものがしばしば搭載される。まずは、従来のＰＥＴ装置の構成について説明する。図１０に示すように、従来のＰＥＴ装置５０は、被検体を導入する導入孔を備えたガントリ５１と、ガントリ５１の内部に、放射線を検出するブロック状の放射線検出器５２を導入孔を囲むように配列して形成された検出器リング５３と、検出器リング５３を囲むように設けられた支持部材５４とを有している。そして、放射線検出器５２の各々について、その支持部材５４の介在する位置にブリーダ回路を備えたブリーダユニット５５が設けられており、これが支持部材５４と放射線検出器５２とを連結している。【０００５】
ＰＥＴ装置は、放射性薬剤より放射される消滅放射線対を測定する。すなわち、被検体Ｍの内部から放射される消滅放射線対は、進行方向が１８０°反対方向となっている放射線のペアである。【０００６】
この様なＰＥＴ装置５０を用いるには、まず、画像の補正に用いる感度ムラを取得する。具体的には、消滅放射線対の発生源である円筒型のファントムをガントリ５１の内部に挿入して、検出器リング５３に消滅放射線対を検出させる（例えば、特許文献１参照）。このとき、消滅放射線対は、ファントム全体から均一に放射されるにもかかわらず、検出器リング５３は、必ずしも消滅放射線対がファントム全体から均一に放射されているという結果を出力するわけではない。検出器リング５３を構成する放射線検出素子の各々の間で放射線の検出感度がバラツいているからである。したがって、この時点で得られたガントリ５１内部の消滅放射線対分布をイメージングした画像に何らかの偽像が写りこむ場合があり、これは、検出器リング５３が固有に有する消滅放射線対の検出感度のムラなのである。【０００７】
被検体が写りこんだ放射線断層画像にもこの偽像が重畳する。しかし、放射線断層画像に、この偽像を打ち消すような画像処理を行えば、放射線断層画像に写りこんでいる感度のムラがキャンセルされ、被検体のみが写りこんだ鮮明な放射線断層画像が取得できる。すなわち、被検体の断層撮影を行う前に、予め放射線源となっているファントムを検出器リング５３に挿入し、検出感度のムラが測定される。
【特許文献１】特開平１０−２９６５号公報
【発明の開示】
【発明が解決しようとする課題】
【０００８】
しかしながら、従来の構成によれば、以下のような問題点がある。
すなわち、従来の構成によれば、検出器リング５３を幅広なものとすると、これに挿入させるファントムを調整することが困難となるという問題点がある。近年において、被検体の全身を覆う程度に検出器リング５３が幅広となっている放射線断層撮影装置が開発されつつある。この様な放射線断層撮影装置が固有に有する感度ムラを打ち消すためには、検出器リング５３の有する貫通孔を塞ぐのに十分な細長状で巨大なファントムが必要となる。【０００９】
ファントムは、検出器リング５３に挿入される前に、前準備が行われる。すなわち、ファントムは、溶液が充填された容器となっており、まずその内部に溶液が満たされる。次に、放射性物質を加え、溶液を攪拌する。検出器リング５３が幅広となるほどファントムを満たすための溶液の量は多くなり、溶液を攪拌するのも容易ではない。前準備が終了したファントムを検出器リング５３に挿入する作業も煩雑である。【００１０】
本発明は、この様な事情に鑑みてなされたものであって、その目的は、検出器リング５３が幅広となっても、確実に較正データが収集できる放射線断層撮影装置における較正データの収集方法を提供することにある。
【課題を解決するための手段】
【００１１】
本発明は、上述の目的を達成するために、次のような構成をとる。すなわち、本発明に係る放射線断層撮影装置における較正データの収集方法は、放射線を検出する放射線検出素子が環状に配列された単位検出リングと、２つの異なる放射線検出素子が同時に放射線を検出した回数である同時イベント数を計数する同時計数手段と、同時イベント数を基に較正データを生成する較正データ生成手段とを備え、複数の単位検出リングがそれらの中心軸を共有するようにして積層されることにより構成された検出器リングを備えた放射線断層撮影装置における較正データの収集方法において、消滅放射線対を照射するファントムを検出器リングの有する内穴の内部で移動させながら、同時イベント数が取得されることを特徴とするものである。【００１２】
［作用・効果］本発明は、消滅放射線対を照射するファントムを検出器リングの有する内穴を通過するように移動させながら、同時イベント数を取得する。この様に構成することで、ファントムの幅を検出器リングの幅以上とする必要がなく、確実に較正データが収集できる。また、ファントムは、消滅放射線対を検出器リングに向けて均一に照射するような形状となっている。しかしながら、実際の消滅放射線対の照射特性は、ファントムの位置によって若干異なっている。ファントムを検出器リングに移動させない従来構成では、検出器リングの位置に依存して入射する消滅放射線対の照射特性が異なるので、較正データにファントムの消滅放射線対の照射ムラが重畳してしまう。本発明によれば、ファントムは、検出器リングに移動されるので、較正データにおいて、ファントムが有する消滅放射線対の照射ムラは、ボカされるので、検出器リングには、その位置によらず一様な特性で以って消滅放射線対が照射されたと見なせ、より偽像除去に適した較正データを取得することができる。【００１３】
また、上述のファントムの移動は、ファントムを移動させるファントム移動手段と、ファントム移動手段を制御するファントム制御手段とによって実現されればより望ましい。【００１４】
［作用・効果］この構成は、ファントムの移動における具体的な態様を示したものである。すなわち、この構成によれば、ファントムを移動させる為の各手段を備えるので、より忠実にファントムを移動させる構成を提供することができる。【００１５】
また、上述の検出器リングの伸びる方向を延伸方向としたとき、ファントムが検出器リングに対して移動する方向は、延伸方向に沿っており、延伸方向におけるファントムの長さは、延伸方向における検出器リングの長さよりも短ければより望ましい。【００１６】
［作用・効果］この構成は、本発明に係る放射線検出器の具体的な態様を示したものである。この構成の示すように、本発明に係る較正データの収集方法は、検出器リングがファントムよりも延伸方向に伸びている場合でも適応することができる。【００１７】
また、上述のファントムは、検出器リングに対して往復移動すればより望ましい。【００１８】
［作用・効果］この構成によれば、十分に長いあいだファントムを検出器リングに存在させることができるので、較正データ取得に用いる同時イベント数を増加させることができる。また、ファントムの動き方がより複雑なものとなるので、ファントムが有する消滅放射線対の照射ムラは、検出器リングにおいて更にボカされ、より偽像除去に適した較正データを取得することができる。また、ファントムに含まれる消滅放射線対は、検出器リングにファントムをセットした時点が最も強く、次第に減衰していく。この構成によれば、ファントムが検出器リングを往復することになるので、検出器リングに、より一様な特性で以って消滅放射線対が照射されたと見なすことができるようになる。【００１９】
また、上述のファントムの速度は、移動の開始時に最も速く、ファントムが移動するにつれ、次第に遅くなればより望ましい。【００２０】
［作用・効果］この構成によれば、検出器リングに、より一様な特性で以って消滅放射線対が照射されたと見なすことができるようになる。ファントムに含まれる消滅放射線対は、検出器リングにファントムをセットした時点が最も強く、次第に減衰していくのであるから、単位時間あたり検出器リングに照射される消滅放射線対の線量は、ファントムの移動開始位置と移動終了位置とで異なっている。この構成によれば、ファントムの速度を調節することで、ファントムの移動開始位置において検出器リングに照射される消滅放射線対の線量を減少させ、逆に、ファントムの移動終了位置において検出器リングに照射される消滅放射線対の線量を増加させる構成とすることができる。【００２１】
また、上述の同時計数手段は、延伸方向における２つの放射線検出素子間の距離が所定の長さ以下となっているときのみ同時イベント数を計数し、ファントムの延伸方向における長さは、所定の長さよりも長ければより望ましい。【００２２】
［作用・効果］この構成によれば、同時イベント数のデータ処理を大幅に軽減することができる。すなわち、同時計数手段は、延伸方向における２つの放射線検出素子間の距離が所定の長さ以下となっているときのみ同時イベント数を計数する。２つの放射線検出素子が延伸方向にあまりに離れすぎている場合、この様な放射線検出素子間の同時イベント数を計数することは、同時計数手段の負担を増大させてしまうので、この様な計数は行わない構成としているのである。さらに、ファントムの延伸方向における長さは、所定の長さよりも長くなっている。つまり、同時計数を行う２つの放射線検出素子間については、確実に消滅放射線対が照射される構成となっているのである。
【発明の効果】
【００２３】
本発明は、消滅放射線対を照射するファントムを検出器リングの有する内穴を通過するように移動させながら、同時イベント数を取得する。この様に構成することで、ファントムの幅を検出器リングの幅以上とする必要がなく、確実に較正データが収集できる。また、検出器リングには、その位置によらず一様な特性で以って消滅放射線対が照射されたと見なせ、より偽像除去に適した較正データを取得することができる。【００２４】
また、同時イベント数のデータ処理を大幅に軽減する構成を採用することができる。すなわち、同時計数手段は、延伸方向における２つの放射線検出素子間の距離が所定の長さ以下となっているときのみ同時イベント数を計数する。しかも、同時計数を行う２つの放射線検出素子間については、確実に消滅放射線対が照射されるように、ファントムの延伸方向における長さは、所定の長さよりも長くなっている。
【図面の簡単な説明】
【００２５】
【図１】実施例１に係る放射線断層撮影装置の構成を説明する機能ブロック図である。
【図２】実施例１に係る放射線検出器の構成を説明する斜視図である。
【図３】実施例１に係る検出器リングの構成を説明する図である。
【図４】実施例１に係るオリジナルマップの取得方法について説明する断面図である。
【図５】実施例１に係るオリジナルマップの取得方法について説明する断面図である。
【図６】実施例１に係る断層画像の取得方法について説明する断面図である。
【図７】実施例１に係る断層画像の取得方法について説明する断面図である。
【図８】実施例１に係る断層画像の取得方法について説明する断面図である。
【図９】本発明の１変形例に係る構成を説明する図である。
【図１０】従来の放射線断層撮影装置の構成を説明する一部破断面図である。
【符号の説明】
【００２６】
９     放射線断層撮影装置
１２   検出器リング
１２ｂ 単位検出リング
１５   天板移動機構（ファントム移動手段）
１６   天板移動制御部（ファントム移動制御手段）
２１   同時計数部（同時計数手段）
２６   較正データ生成部（較正データ生成手段）
４１   ファントム
【発明を実施するための最良の形態】
【００２７】
以下、本発明に係る放射線断層撮影装置における較正データの収集方法の最良の形態について説明する。なお、以下に説明するγ線は、本発明の放射線の一例である。
【実施例１】
【００２８】
＜放射線断層撮影装置の全体構成＞
以下、本発明に係る放射線断層撮影装置の実施例を図面を参照しながら説明する。図１は、実施例１に係る放射線断層撮影装置の構成を説明する機能ブロック図である。実施例１に係る放射線断層撮影装置９は、図１に示すように、被検体Ｍを仰臥させる天板１０と、被検体Ｍを包囲する貫通穴を有するガントリ１１を有している。天板１０は、ガントリ１１の開口を貫通するように備えられているとともに、ガントリ１１の開口の伸びる方向に沿って進退自在となっている。この様な天板１０の摺動は、天板移動機構１５によって実現される。天板移動機構１５は、天板移動制御部１６によって制御される。【００２９】
ガントリ１１の内部には、被検体Ｍから放射される消滅γ線対を検出する検出器リング１２が備えられている。この検出器リング１２は、被検体Ｍの体軸方向ｚ（本発明の延伸方向に相当する。）に伸びた筒状であり、その長さは、１ｍ〜１．８ｍである。すなわち、検出器リング１２は、被検体Ｍの少なくとも胴体部分を完全に覆う事ができる程度まで伸びている。クロック１９は、検出器リング１２に時間情報を送出する。検出器リング１２から出力される検出データは、γ線をどの時点で取得されたかという時刻情報が付与され、後述のフィルタ部２０に入力されることになる。【００３０】
検出器リング１２は、ブロック状の放射線検出器１がリング状に配列されて構成される。放射線検出器１における１つあたりの幅は、約５ｃｍであったとすると、検出器リング１２に放射線検出器１は、ｚ方向に約２０個〜３６個配列されていることになる。この放射線検出器１の構成について簡単に説明する。図２は、実施例１に係る放射線検出器の構成を説明する斜視図である。放射線検出器１は、図２に示すように放射線を蛍光に変換するシンチレータ２と、蛍光を検出する光検出器３とを備えている。そして、シンチレータ２と光検出器３との介在する位置には、蛍光を授受するライトガイド４が備えられている。【００３１】
シンチレータ２は、シンチレータ結晶が２次元的に配列されて構成されている。シンチレータ結晶は、Ｌｕ２（１−Ｘ）Ｙ２ＸＳｉＯ５（以下、ＬＹＳＯとよぶ）によって構成されている。そして、光検出器３は、どのシンチレータ結晶が蛍光を発したかという蛍光発生位置を特定することができるようになっているとともに、蛍光の強度や、蛍光の発生した時刻をも特定することができる。また、実施例１の構成のシンチレータ２は、採用しうる態様の例示にすぎない。したがって、本発明の構成は、これに限られるものではない。【００３２】
検出器リング１２の構成について説明する。図３は、実施例１に係る検出器リングの構成を説明する図である。放射線検出器１は、検出器リング１２において仮想円（正確には、正ｎ角形）に沿って並べられている。すると、シンチレータ結晶も仮想円（正確には、正ｎ角形）に沿って並べられ、図３（ａ）に示すような単位検出リング１２ｂを構成する。単位検出リング１２ｂは、ｚ方向について同一位置に存するとともに、円環に沿って配列されたシンチレータ結晶Ｃ（放射線検出素子）で構成される。すなわち、単位検出リング１２ｂは、シンチレータ結晶が一列に並んだものであり、仮想円に沿って並べられた放射線検出器１とは独立した概念である。そして、図３（ｂ）に示すように、この単位検出リング１２ｂがｚ方向に連接されて検出器リング１２が構成されるのである。単位検出リング１２ｂの中心には、貫通孔が設けられており、単位検出リング１２ｂの有する貫通孔が連結するように単位検出リング１２ｂが配列され、検出器リング１２が構成されていると捉えることもできる。【００３３】
実施例１によれば、１００個前後の放射線検出器１が円環状に配列することで検出器リング１２が形成されるため、ｚ方向から貫通穴１２ａを見たとき、貫通穴１２ａは、例えば正１００角形となっている。この場合、複数の単位検出リング１２ｂは、各々の中心軸を共有して連結されており、貫通穴１２ａは、１００角柱の形状となっている。【００３４】
なお、実施例１に係る放射線断層撮影装置９は、図１に示すように、被検体Ｍの断層画像を取得するための各部が更に設けられている。具体的には、放射線断層撮影装置９は、検出器リング１２で検出された検出データのうち、有効なデータを抽出するフィルタ部２０と、フィルタ部２０にて有効とみなされたデータを受信し、消滅γ線対の同時計数を行う同時計数部２１と、同時計数部２１にて消滅γ線対であると判断された２つのγ線検出データから検出器リング１２におけるγ線の入射位置を弁別するＬＯＲ特定部２２と、検出データを記憶するデータ記憶部２３と、被検体Ｍの断層画像を形成するマッピング部２４と、被検体Ｍの断層画像に較正を加える較正部２５とを備えている。較正部２５は、較正データ記憶部３４に記憶されたオリジナルマップを参照して断層画像に写りこんだ偽像を除去する。なお、計数対象領域設定部３３を設けた意義については、後述のものとする。また、ＭＲＤ記憶部３７は、後述のＭＲＤを記憶するものである。入力部３８は、術者の操作を入力させるもので、例えば、ＭＲＤの変更を受け付ける。【００３５】
上述の同時計数部は、本発明の同時計数手段に相当し、較正データ生成部は、本発明の較正データ生成手段に相当する。また、天板移動機構は、本発明のファントム移動手段に相当し、天板移動制御部は、ファントム移動制御手段に相当する。【００３６】
そしてさらに、実施例１に係る放射線断層撮影装置９は、各部を統括的に制御する主制御部３５と、放射線断層画像を表示する表示部３６とを備えている。この主制御部３５は、ＣＰＵによって構成され、各種のプログラムを実行することにより、フィルタ部２０，同時計数部２１，ＬＯＲ特定部２２，データ記憶部２３，およびマッピング部２４，較正部２５とを実現している。なお、上述の各部はそれらを担当する制御装置に分割されて実現されてもよい。【００３７】
＜オリジナルマップの取得＞
次に、較正データ記憶部３４にて記憶されているオリジナルマップの取得方法について説明する。オリジナルマップは、検出器リング１２が固有に有する消滅放射線対の検出感度のムラ等をマッピングしたマッピングデータである。オリジナルマップを作成するには、まず、放射線を照射するファントム４１を準備する。このファントム４１は、天板１０に載置できる程度の幅を有し、ｚ方向に延伸した円柱状である。ファントム４１のｚ方向の長さについては、本実施例の特徴的な構成であり、後述のものとする。【００３８】
ファントム４１は、ガントリ１１の開口の形状に倣った円筒状であり、溶液を充填する中空を有している。ファントム４１の検出器リング１２に対する移動の方向は、ファントム４１の延伸方向と一致している。まず、ファントム４１の中空に溶液が満たされた後、放射性物質を加える。放射性物質の種類としては、消滅γ線対が発生する陽電子を放出する核種が選択される。より具体的には、被検体Ｍに注射される放射性薬剤に使用されているものと同一の核種としたほうが望ましい。溶液で満たされたファントム４１に放射性物質を加えて、ファントム４１の中空を密閉した後、ファントム４１をシェイクする。この様にすることで、ファントム４１全体から均一に消滅γ線対が放射されるようになる。【００３９】
そして、ファントム４１を天板１０に取り付ける。この場合、天板１０上に配置すると天板１０の減弱を受けるため、ファントム取り付け治具などを用いてファントムから放出されたガンマ線が直接検出器に到達する収集系が望ましい。そして、ファントム４１のｚ方向の長さは、検出器リング１２のそれよりも短くなっている。天板移動機構１５は、ファントム４１を搭載した状態の天板１０を摺動させる。すると、図４（ａ）に示すように、ファントム４１の先方端４１ａは、検出器リング１２の１端に存する単位検出リング１２ｃを通過する。この時点がファントム４１の初期位置である。【００４０】
放射線断層撮影装置９は、ファントム４１が上述の初期位置の状態から較正データの収集を行う。検出器リング１２で得られた検出データ（シンチレータ結晶が発した蛍光に関するデータ）は、フィルタ部２０に送出される。フィルタ部２０は、計数対象領域Ｒに存するシンチレータ結晶で得られた検出データのみを同時計数部２１にパスし、それ以外の検出データを廃棄する。この様にすることで、同時計数部２１において、無駄な演算を省略することができ、複雑な同時計数演算を大幅に簡略化することができる。初期位置における計数対象領域Ｒは、単位検出リング１２ｃに属するシンチレータ結晶のみであり、具体的には、図４（ａ）における斜線部である。【００４１】
なお、計数対象領域Ｒは、計数対象領域設定部３３が設定したものであり、フィルタ部２０は、逐次、最新の計数対象領域Ｒを計数対象領域設定部３３から読み出す。【００４２】
同時計数部２１では、所定の時間的な幅を有するタイムウィンドウの中に、異なる２つのシンチレータ結晶から由来する検出データが収まった場合、これを消滅γ線対によるものであるとし、この回数をカウントする。これが、同時イベント数である。この同時性の判断は、クロック１９が検出データに付与した時刻情報が使用される。【００４３】
ＬＯＲ特定部２２においては、消滅γ線対の出射された方向を割り出す。すなわち、同時計数部２１によって同時と見なされた検出データには、どのシンチレータ結晶が蛍光を発したかという位置的な情報も含まれている。ＬＯＲ特定部２２では、この２つのシンチレータ結晶を結ぶ線分であるＬＯＲ(Line of Response)を割り出し、ＬＯＲと、これに対応する同時イベント数をデータ記憶部２３に送出する。【００４４】
上述のような放射線の検出を行いながら天板１０が摺動される。すると、それに伴って、ファントム４１と検出器リング１２との相対位置が初期位置から変更されるとともに計数対象領域Ｒの変更がなされる。すなわち、ファントム４１が初期位置からｚ方向における単位検出リング１２ｂの幅分だけ移動すると、計数対象領域Ｒには、単位検出リング１２ｃに隣接した単位検出リング１２ｂの領域が追加される。すなわち、計数対象領域設定部３３には、天板移動制御部１６より天板１０の移動状況を示すデータが送られて来ており、計数対象領域設定部３３は、このデータを基に計数対象領域Ｒを拡張する。【００４５】
以降、計数対象領域設定部３３は、ファントム４１が検出器リング１２に完全に覆われた図４（ｂ）の状態の状態となるまで、ファントム４１が単位検出リング１２ｂの幅分だけ移動する毎に、単一の単位検出リング１２ｂを新たに追加し、ｚ方向に計数対象領域Ｒを拡張する。言い換えれば、ファントム４１に対向しているシンチレータ結晶は、計数対象領域Ｒに存することになる。図４（ｂ）において、計数対象領域Ｒは、シンチレータ結晶８個分の幅となっている。この８という数字は、後述のＭＲＤに１を加えることで得られるものである。【００４６】
図４（ｂ）の状態からファントム４１が単位検出リング１２ｂの幅分だけ移動すると、計数対象領域設定部３３は、これ以上、計数対象領域Ｒを拡張することをせずに、今度は、ファントム４１に追従するように計数対象領域Ｒをシフトさせる。すなわち、計数対象領域設定部３３は単位検出リング１２ｃを計数対象領域Ｒから外すとともに、ファントム４１の先方端４１ａ側に位置する単一の単位検出リング１２ｂを新たに追加するように計数対象領域Ｒを再設定する。計数対象領域設定部３３は、ファントム４１が単位検出リング１２ｂの幅分だけ移動する毎に計数対象領域Ｒをシフトさせる。そして、図５（ａ）においては、ファントム４１が検出器リング１２の中間に位置している状態を示している。計数対象領域Ｒはｚ方向について言えば、常に、ファントム４１の先方端４１ａ，後方端４１ｂに挟まれた区画に存している。【００４７】
以降、ファントム４１の移動に伴い、後方端４１ｂの後方に位置することとなった単位検出リング１２ｂは、次々と計数対象領域Ｒから外され、やがて、図５（ｂ）に示すように、ファントム４１の後方端４１ｂは、検出器リング１２の１端に存する単位検出リング１２ｄに位置する。この状態がファントム４１の移動の終了位置となる。【００４８】
この様にして、ファントム４１を初期位置から終了位置まで移動させる間に、検出器リング１２が有するシンチレータ結晶は、必ず計数対象領域Ｒに含まれていたことになり、全てのシンチレータ結晶について同時計数がなされることになる。【００４９】
データ記憶部２３には、ＬＯＲと、これに対応する同時イベント数が記憶されている。マッピング部２４は、このデータを組み立てて、検出器リング１２の内部を可視化したオリジナルマップを取得する。ファントム４１は、均一に消滅放射線対を放射することから、単純に考えれば、オリジナルマップには何ら偽像は現れないと予想される。しかし、実際は、必ずしもそうなるとは限らず、シンチレータ結晶の各々の間における感度ムラなどの影響により、オリジナルマップには、何らかの偽像が現れる。【００５０】
偽像の要因としては、上述の感度ムラの外、次のようなものがある。例えば、放射線検出器１は、シンチレータ２の側辺に位置するシンチレータ結晶においては、シンチレータの中央に位置するそれよりも放射線を検出し難い特性があり、それに起因した偽像が現れる。この様な偽像をもたらす要因は、断面内ブロック形状因子と呼ばれる。また、これとは別に、ＬＯＲの長さが長いほど、ＬＯＲ幅が狭いほどγ線の検出感度は低下する性質に起因して別の偽像が生じる。この様な偽像をもたらす要因は、動径方向幾何学因子と呼ばれる。【００５１】
また、上述の因子とは別の因子としては、結晶干渉因子がある。シンチレータ結晶に斜めにガンマ線が入射する場合や、深さ方向の情報を持つＤＯＩ検出器の場合、ファントム４１に近い側のシンチレータ結晶では検出されずに通過し、その近隣即ちファントム４１から遠い結晶で検出される場合がある。この場合において、ファントム４１に遠い側のシンチレータ結晶の検出感度は、近い側のそれよりも低くなり、偽像が生じる。これが結晶干渉因子である。オリジナルマップには、これら因子に由来する偽像も現れている。【００５２】
較正データは、オリジナルマップを基に較正データ生成部２６において作成され、較正データ記憶部３４で記憶される。この較正データを仮にオリジナルマップに作用させると、オリジナルマップが有する偽像はキャンセルされることになる。【００５３】
＜放射線断層撮影装置の動作＞
次に、実施例１に係る放射線断層撮影装置９の動作について説明する。実施例１に係る放射線断層撮影装置９で検査を行うには、まず、放射線薬剤を予め注射投薬された被検体Ｍを天板１０に載置する。そして、天板１０を摺動させ、被検体Ｍをガントリ１１の開口に導入する。この時点より、被検体Ｍから発せられる消滅γ線対が検出される。【００５４】
消滅放射線対を検出する場合において、重要な概念である最大リング差（ＭＲＤ）について説明する。ＬＯＲの本来の意味は、互いに異なるシンチレータ結晶を結ぶ線分である。図６に示すように、シンチレータ結晶Ｃ８について注目すると、非常に多くのＬＯＲを考えることができる。しかし、全てのＬＯＲが断層画像の取得に必要なわけではない。例えば図６におけるＬＯＲ１００ｇは、シンチレータ結晶Ｃ８とシンチレータ結晶Ｄｒとを結ぶものである。両シンチレータ結晶は、互いにｚ方向に離れ過ぎており、γ線は、斜め方向からシンチレータ結晶に入射する。このようなγ線を検出することは難しく、ＬＯＲ１００ｇにおける同時計数を行っても、さほど断層画像の鮮明化に寄与しない。と同時に、同時計数の計算を単純なものとしなければならず、ＬＯＲの数を抑制する観点から、ＬＯＲ１００ｇについては、始めから計数しなくても良いという発想が得られる。【００５５】
つまり、シンチレータ結晶Ｃ８が有するＬＯＲを考える場合、ｚ方向において、シンチレータ結晶Ｃ８の近傍に位置するシンチレータ結晶のみを考慮すればよい。例えば、シンチレータ結晶Ｃ８が有するＬＯＲを考える場合、シンチレータ結晶Ｃ８にとってｚ方向におけるの距離が７個以下となっているシンチレータ結晶について考えるとする。この７という数字は、同時計数の際、考慮に入れるＬＯＲの個数を調整するものであり、ＭＲＤ(Maximum ring difference)と呼ばれる。すなわち、ＭＲＤを７とした場合、考慮に入れるＬＯＲは、ＬＯＲ１ｇ〜ＬＯＲ１５ｇであり、より一般的に言い換えれば、シンチレータ結晶１５個分（ＭＲＤ×２＋１個分）の幅を有する領域に属するシンチレータ結晶のいずれかとシンチレータ結晶Ｃ８とを結ぶＬＯＲのみが、シンチレータ結晶Ｃ８に関するＬＯＲである。【００５６】
この様なＬＯＲの選抜は、フィルタ部２０によって行われる。２つのシンチレータ結晶が同時にγ線を検出したとき、フィルタ部２０は、２つのシンチレータ結晶のｚ方向の離間距離がＭＲＤ以下のとき、２つのシンチレータ結晶の検出データを同時計数部２１にパスし、離間距離がＭＲＤよりも大きいとき、検出データを破棄する。【００５７】
フィルタ部２０は、検出データを同時計数部２１，ＬＯＲ特定部２２，データ記憶部２３，マッピング部２４に送出する。これらの動作については、上述と同様であるので、説明を省略する。マッピング部２４で組み立てられた被検体Ｍの断層画像は、較正部２５に出力される。較正部２５では、較正データ記憶部３４に記憶されている較正データに基づいて、被検体Ｍの断層像に重畳している偽像を除去するデータ処理が行われる。こうして得られた完成画像は、表示部３６にて表示される。これをもって、実施例１の構成に係る放射線断層撮影装置９を用いた検査は終了となる。【００５８】
＜ファントムの長さについて＞
次に、実施例１の構成において特徴的なファントム４１の長さについて説明する。ファントム４１の長さは、図５（ａ）を用いて説明したように、計数対象領域Ｒの最大長さと密接に関係している。そこで、実施例１の構成において、ふさわしい計数対象領域Ｒの最大長さが決定されれば、自ずとファントム４１の長さが決定されることになる。【００５９】
被検体Ｍを検査するとき、同時計数に用いられるＬＯＲは、フィルタ部２０によって選抜される。一方、較正データを取得する場合においても、計数対象領域Ｒを指定することでＬＯＲが選抜される。そこで、被検体Ｍの検査時におけるＬＯＲの選抜と、較正データを取得する時のＬＯＲの選抜とを一致させれば、較正データの取得は、最も効果的なものとなる。【００６０】
これらの事情を踏まえてファントム４１の長さの設定について説明する。まず、検出器リング１２の１端に存する単位検出リング１２ｃについて考える。図７は、実施例１の構成に係る検出器リングの１端に存する単位検出リングにおけるＬＯＲのを説明する模式図である。単位検出リング１２ｃから単位検出リング７個分（ＭＲＤ分）離れた単位検出リングを単位検出リング１２ｅとする。図７（ａ）を参照すれば分かるように、単位検出リング１２ｃに属するシンチレータ結晶Ｃ８が有するＬＯＲのうち、検査に用いられるＬＯＲは、［シンチレータ結晶Ｃ８，および単位検出リング１２ｃからｚ方向に１個〜７個分離れた単位検出リングの各々を結ぶ］ＬＯＲ１ｇ〜ＬＯＲ７ｇの７種類と、［シンチレータ結晶Ｃ８，および単位検出リング１２ｃに属するシンチレータ結晶Ｄ８とを結ぶ］ＬＯＲ８ｇの１種類とを加えた８種類である。【００６１】
一方、図７（ａ）中の領域Ｋ１は、較正データを取得する際にファントム４１が一時期に占有していた領域である。ファントム４１は、単位検出リングの幅の８倍の長さ以上となっているので、ＬＯＲ１ｇ〜ＬＯＲ８ｇの全ては領域Ｋ１を通過することになる。領域Ｋ１にファントム４１が位置していることがあるとすれば、ファントム４１からＬＯＲ１ｇ〜ＬＯＲ８ｇに沿った消滅γ線対が確実に照射されることになる。なお、単位検出リングの幅の８倍の長さ（ＭＲＤ＋１個分の単位検出リング１２ｂの幅）は、本発明の所定の長さに相当する。【００６２】
次に、検出器リング１２の他端に存する単位検出リング１２ｄについて考える。単位検出リング１２ｄから単位検出リング７個分離れた単位検出リングを単位検出リング１２ｆとする。図７（ｂ）を参照すれば分かるように、単位検出リング１２ｄに属するシンチレータ結晶Ｃ８が有するＬＯＲのうち、検査に用いられるＬＯＲは、［シンチレータ結晶Ｃ８，および単位検出リング１２ｄからｚ方向に１個〜７個分離れた単位検出リングとの各々を結ぶ］ＬＯＲ９ｇ〜ＬＯＲ１５ｇの７種類と、［シンチレータ結晶Ｃ８，および単位検出リング１２ｄに属するシンチレータ結晶Ｄ８とを結ぶ］ＬＯＲ８ｇの１種類とを加えた８種類である。【００６３】
一方、図７（ｂ）中の領域Ｋ２は、較正データを取得する際にファントム４１が一時期に占有していた領域である。ファントム４１は、単位検出リングの幅の８倍の長さ以上となっているので、ＬＯＲ８ｇ〜ＬＯＲ１５ｇの全ては領域Ｋ２を通過することになる。領域Ｋ２にファントム４１が位置していることがあるとすれば、ファントム４１から確実にＬＯＲ８ｇ〜ＬＯＲ１５ｇに沿った消滅γ線対が照射されることになる。【００６４】
続いて、検出器リング１２の中央部に位置するシンチレータ結晶について説明する。この場合は、上述の図７（ａ）と図７（ｂ）とを組み合わせた概念図で理解できる。図８は、実施例１の構成に係る検出器リングの中央部に存する単位検出リングにおけるＬＯＲを説明する模式図である。すなわち、図８（ａ）に示すように、シンチレータ結晶Ｃ８が有するＬＯＲのうち、検査に用いられるＬＯＲは、（１）シンチレータ結晶Ｃ８，および、これの左側（検出器リング１２の他端側）に位置するとともにシンチレータ結晶Ｃ８からｚ方向に１個〜７個分離れた単位検出リングとの各々を結ぶＬＯＲ１ｇ〜ＬＯＲ８ｇの７種類と、（２）シンチレータ結晶Ｃ８とこれが属する単位検出リングとを結ぶＬＯＲ８ｇの１種類と、（３）シンチレータ結晶Ｃ８と、これの右側（検出器リング１２の一端側）に位置するとともにシンチレータ結晶Ｃ８からｚ方向に１個〜７個分離れた単位検出リングとの各々の間を結ぶＬＯＲ９ｇ〜ＬＯＲ１５ｇの７種類とを合計した全１５種類である。図８（ａ）における領域Ｋ１は、較正データを取得する際にファントム４１が一時期に占有していた領域である。つまり（１）、（２）で説明した８種類のＬＯＲ１ｇ〜ＬＯＲ８ｇについて言えば、ファントム４１から、これらのＬＯＲに沿った消滅γ線対が確実に照射されることになる。【００６５】
また、図８（ｂ）における領域Ｋ２は、較正データを取得する際にファントム４１が一時期に占有していた領域である。つまり（３）で説明した７種類のＬＯＲ９ｇ〜ＬＯＲ１５ｇについて言えば、ファントム４１から確実に、これらのＬＯＲに沿った消滅γ線対が照射されることになる。【００６６】
なお、シンチレータ結晶Ｃ８が図７で示された検出器リング１２ｃ，検出器リング１２ｄの近傍に位置している場合、ＬＯＲ１ｇ〜ＬＯＲ１５ｇのうちのいくつかを引くことができなくなる。この場合については、図８を用いて説明することができる。すなわち、シンチレータ結晶Ｃ８が検出器リング１２の右端の近傍に位置している場合、図８（ａ）において、シンチレータ結晶Ｃ８の右側に位置する検出器リングのいくつかを削除して考えればよいだけである。また、シンチレータ結晶Ｃ８が検出器リング１２の左端の近傍に位置している場合、図８（ｂ）の場合は、シンチレータ結晶Ｃ８の左側に位置する検出器リングのいくつかを削除して考えればよいだけである。この様に、シンチレータ結晶Ｃ８が検出器リング１２の一端近傍に位置している場合においてもファントム４１から検査に用いられるＬＯＲに沿った消滅γ線対が確実に照射されることに変わりはない。【００６７】
この様に、いずれの場合においても、検査に用いられるＬＯＲの全てについて、較正データが取得されているので、検査中に得られる検出データに重畳する偽像は、確実に取り除かれる。【００６８】
以上のように、実施例１の構成は、消滅γ線対を照射するファントム４１を検出器リング１２の有する内穴を通過するように移動させながら、同時イベント数を取得する。この様に構成することで、ファントム４１の幅を検出器リング１２の幅以上とする必要がなく、確実に較正データが収集できる。また、ファントム４１は、消滅γ線対を検出器リング１２に向けて均一に照射するような形状となっている。しかしながら、実際の消滅γ線対の照射特性は、ファントム４１内部の線源の均一性が悪い場合、ファントム４１の位置によって若干異なってしまう場合がある。ファントム４１を検出器リング１２に移動させない従来構成では、検出器リング１２の位置に依存して入射する消滅γ線対の照射特性が異なるので、較正データにファントム４１の消滅γ線対の照射ムラが重畳してしまう。実施例１の構成によれば、ファントム４１は、検出器リング１２に移動されるので、較正データにおいて、ファントム４１が有する消滅γ線対の照射ムラは、ボカされるので、検出器リング１２には、その位置によらず一様な特性で以って消滅γ線対が照射されたと見なせ、より偽像除去に適した較正データを取得することができる。なお、検出器リング１２の有する内穴がファントム４１よりも短い場合、長い場合のどちらにおいても、ファントム４１を検出器リング１２に対して移動させれば、ファントム４１の消滅γ線対の照射ムラを消去することができることに変わりはない。【００６９】
また、この構成によれば、同時イベント数のデータ処理を大幅に軽減することができる。すなわち、同時計数部２１は、ｚ方向における２つのシンチレータ結晶間の距離が所定の長さ（計数対象領域Ｒの最大長さ）以下となっているときのみ同時イベント数を計数する。２つのシンチレータ結晶がｚ方向にあまりに離れすぎている場合、この様なシンチレータ結晶間の同時イベント数を計数することは、同時計数部２１の負担を増大させてしまうので、この様な計数は行わない構成としているのである。さらに、ファントム４１のｚ方向における長さは、所定の長さよりも長くなっている。つまり、同時計数を行う２つのシンチレータ結晶間については、確実に消滅γ線対が照射される構成となっているのである。【００７０】
本発明は、上記構成に限られるものではなく、下記のように変形実施することができる。【００７１】
（１）上述の実施例における放射線検出器１は、単一層のシンチレータ結晶層を備えていた。しかし、本発明はこれに限らない。すなわち、図９（ａ）のように、多層の結晶層を有する放射線検出器１を用いることもできる。この様にすることで、放射線検出器１におけるγ線の検出感度、入射位置の弁別能が強化される。図９（ａ）の例によれば、シンチレータ結晶が二次元的に配列された結晶層がライトガイド４から積み上がるように４層設けられている構成となっているが、層数はこれに限られない。本変形例におけるオリジナルマップの取得動作、および被検体Ｍの断層画像の生成動作については、実施例１の説明の大半を援用することができる。具体的な変更点としては、実施例１の構成からＬＯＲが増加されていることにある。すなわち、例えば、図９（ｂ）におけるシンチレータ結晶Ｃ８についてのＬＯＲを考えるときに、図８（ａ）におけるＬＯＲ１５ｇに相当するＬＯＲは、（１）シンチレータ結晶Ｃ８と最上層の結晶層とを結ぶＬＯＲ１５ｈ，（２）シンチレータ結晶Ｃ８と第２層の結晶層とを結ぶＬＯＲ１５ｉ，（３）シンチレータ結晶Ｃ８と第３層の結晶層とを結ぶＬＯＲ１５ｊ，および（４）シンチレータ結晶Ｃ８と第４層の結晶層とを結ぶＬＯＲ１５ｋの四種類に分裂する。フィルタ部２０は、４層を区別せずに検出データを後段の各部にパスし、ＬＯＲ特定部２２においては、４層を区別してデータ処理を行う。【００７２】
（２）上述の実施例においては、ファントム４１は、一方向に移動するのみであったが、本発明はこの構成に限られない。すなわち、ファントム４１は、図４（ａ）の状態から、いったん図５（ｂ）のように移動し、そこから折り返して図４（ａ）の状態となるように移動してもよい。すなわち、ファントム４１が検出器リング１２の内部を往復移動されながらオリジナルマップを生成してもよい。本変形例に係る効果は、以下の通りである。ファントム４１は使用前にシェイクされ、消滅γ線対を検出器リング１２に向けて均一に照射するような形状となっている。しかしながら、実際の消滅γ線対の照射特性は、ファントム４１の位置によって若干異なっている。ファントム４１を検出器リング１２に移動させない従来構成では、検出器リング１２の位置に依存して入射する消滅γ線対の照射特性が異なるので、較正データにファントム４１の消滅γ線対の照射ムラが重畳してしまう。本変形例によれば、ファントム４１は、検出器リング１２に移動されるので、較正データにおいて、ファントム４１が有する消滅γ線対の照射ムラは、ボカされるので、検出器リング１２には、その位置によらず一様な特性で以って消滅γ線対が照射されたと見なせ、より偽像除去に適した較正データを取得することができる。【００７３】
（３）また、上述の実施例においては、ファントム４１の速度について特に言及はなかったが、オリジナルマップの取得時において、移動の開始時にファントム４１の速度を最も速くし、ファントム４１が移動するにつれ、これを次第に遅くする構成とすることもできる。このような構成によれば、検出器リング１２に、より一様な特性で以って消滅γ線対が照射されたと見なすことができるようになる。ファントム４１に含まれる消滅γ線対は、検出器リング１２にファントム４１をセットした時点が最も強く、物理的半減期によって次第に減衰していくのであるから、単位時間あたり検出器リング１２に照射される消滅γ線対の線量は、ファントム４１の移動開始位置と移動終了位置とで異なっている。この構成によれば、ファントム４１の速度を調節することで、ファントム４１の移動開始位置において検出器リング１２に照射される消滅γ線対の線量を減少させ、逆に、ファントム４１の移動終了位置において検出器リング１２に照射される消滅γ線対の線量を増加させる構成とすることができる。【００７４】
（４）上述した実施例のいうシンチレータ結晶は、ＬＹＳＯで構成されていたが、本発明においては、その代わりに、ＧＳＯ（Ｇｄ２ＳｉＯ５）などのほかの材料でシンチレータ結晶を構成してもよい。本変形例によれば、より安価な放射線検出器が提供できる放射線検出器の製造方法が提供できる。【００７５】
（５）上述した実施例において、蛍光検出器は、光電子増倍管で構成されていたが、本発明はこれに限らない。光電子増倍管に代わって、フォトダイオードやアバランシェフォトダイオードや半導体検出器などを用いてもよい。【００７６】
（６）上述した実施例において、天板が摺動自在となっていたが、本発明はこれに限らず、たとえば、天板は固定であり、ガントリ１１が摺動する構成としてもよい。
【産業上の利用可能性】
【００７７】
以上のように、本発明は、医用の放射線断層撮影装置に適している。
【図１】
2010084528.tif 000003
【図２】
2010084528.tif 000004
【図３】
2010084528.tif 000005
【図４】
2010084528.tif 000006
【図５】
2010084528.tif 000007
【図６】
2010084528.tif 000008
【図７】
2010084528.tif 000009
【図８】
2010084528.tif 000010
【図９】
2010084528.tif 000011
【図１０】
2010084528.tif 000012
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
放射線を検出する放射線検出素子が環状に配列された単位検出リングと、２つの異なる放射線検出素子が同時に放射線を検出した回数である同時イベント数を計数する同時計数手段と、前記同時イベント数を基に較正データを生成する較正データ生成手段とを備え、複数の単位検出リングがそれらの中心軸を共有するようにして積層されることにより構成された検出器リングを備えた放射線断層撮影装置における較正データの収集方法において、
消滅放射線対を照射するファントムを前記検出器リングの有する内穴の内部で移動させながら、前記同時イベント数が取得され、
前記検出器リングの伸びる方向を延伸方向としたとき、
前記ファントムが前記検出器リングに対して移動する方向は、前記延伸方向に沿っており、
前記延伸方向における前記ファントムの長さは、前記延伸方向における前記検出器リングの長さよりも短いことを特徴とする放射線断層撮影装置における較正データの収集方法。
【請求項２】
請求項１に記載の放射線断層撮影装置における較正データの収集方法において、
前記ファントムの移動は、前記ファントムを移動させるファントム移動手段と、前記ファントム移動手段を制御するファントム制御手段とによって実現されることを特徴とする放射線断層撮影装置における較正データの収集方法。
【請求項３】
請求項１または請求項２に記載の放射線断層撮影装置における較正データの収集方法において、
前記ファントムは、前記検出器リングに対して往復移動することを特徴とする放射線断層撮影装置における較正データの収集方法。
【請求項４】
請求項１ないし請求項３のいずれかに記載の放射線断層撮影装置における較正データの収集方法において、
前記ファントムの速度は、移動の開始時に最も速く、前記ファントムが移動するにつれ、次第に遅くなることを特徴とする放射線断層撮影装置における較正データの収集方法。
【請求項５】
請求項１ないし請求項４のいずれかに記載の放射線断層撮影装置における較正データの収集方法において、
前記同時計数手段は、前記延伸方向における２つの放射線検出素子間の距離が所定の長さ以下となっているときのみ同時イベント数を計数し、
前記ファントムの前記延伸方向における長さは、前記所定の長さよりも長いことを特徴とする放射線断層撮影装置における較正データの収集方法。
【手続補正２】
【補正対象書類名】明細書
【補正対象項目名】０００２
【補正方法】変更
【補正の内容】
【０００２】
医療分野において、被検体に投与されて関心部位に局在した放射性薬剤から放出された消滅放射線対（例えばγ線）を検出し、被検体の関心部位における放射性薬剤分布の断層画像を得る放射線断層撮影装置(ECT:Emission Computed Tomography)に使用されている。ＥＣＴには、主なものとして、ＰＥＴ(Positron Emission Tomography)装置、ＳＰＥＣＴ(Single Photon Emission Computed Tomography)装置などが挙げられる。
【手続補正３】
【補正対象書類名】明細書
【補正対象項目名】００１１
【補正方法】変更
【補正の内容】
【００１１】
本発明は、上述の目的を達成するために、次のような構成をとる。すなわち、本発明に係る放射線断層撮影装置における較正データの収集方法は、放射線を検出する放射線検出素子が環状に配列された単位検出リングと、２つの異なる放射線検出素子が同時に放射線を検出した回数である同時イベント数を計数する同時計数手段と、同時イベント数を基に較正データを生成する較正データ生成手段とを備え、複数の単位検出リングがそれらの中心軸を共有するようにして積層されることにより構成された検出器リングを備えた放射線断層撮影装置における較正データの収集方法において、消滅放射線対を照射するファントムを検出器リングの有する内穴の内部で移動させながら、同時イベント数が取得され、検出器リングの伸びる方向を延伸方向としたとき、ファントムが検出器リングに対して移動する方向は、延伸方向に沿っており、延伸方向におけるファントムの長さは、延伸方向における検出器リングの長さよりも短いことを特徴とするものである。
【手続補正４】
【補正対象書類名】明細書
【補正対象項目名】００１２
【補正方法】変更
【補正の内容】
【００１２】
［作用・効果］本発明は、消滅放射線対を照射するファントムを検出器リングの有する内穴を通過するように移動させながら、同時イベント数を取得する。この様に構成することで、ファントムの幅を検出器リングの幅以上とする必要がなく、確実に較正データが収集できる。また、ファントムは、消滅放射線対を検出器リングに向けて均一に照射するような形状となっている。しかしながら、実際の消滅放射線対の照射特性は、ファントムの位置によって若干異なっている。ファントムを検出器リングに移動させない従来構成では、検出器リングの位置に依存して入射する消滅放射線対の照射特性が異なるので、較正データにファントムの消滅放射線対の照射ムラが重畳してしまう。本発明によれば、ファントムは、検出器リングに移動されるので、較正データにおいて、ファントムが有する消滅放射線対の照射ムラは、ボカされるので、検出器リングには、その位置によらず一様な特性で以って消滅放射線対が照射されたと見なせ、より偽像除去に適した較正データを取得することができる。
本発明に係る較正データの収集方法は、検出器リングがファントムよりも延伸方向に伸びている場合でも適応することができる。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【国際調査報告】
2010084528.tif 000013
2010084528.tif 000014
2010084528.tif 000015
2010084528.tif 000016